【手続補正書】
【提出日】平成20年5月29日(2008.5.29)
【手続補正１】
【補正対象書類名】特許請求の範囲
【補正対象項目名】全文
【補正方法】変更
【補正の内容】
【特許請求の範囲】
【請求項１】
溶剤溶液を維持する溶剤チェンバーと、
溶質溶液を維持する圧力チェンバーと、
前記圧力チェンバーから前記溶剤チェンバーを分離する半透性隔壁であって、溶剤分子が浸透することができ、溶質分子が浸透することができない半透性隔壁とを含み、
前記溶剤分子は、前記半透性隔壁を横切って閉鎖圧力チェンバーの溶質溶液に放出され、前記圧力チェンバーの圧力を増加させることによって静水圧の形態でエネルギーを発生させ、
さらに、変換装置内を移動する溶質溶液の量に反比例して、静水圧を可変量の機械的仕事に変換する変換装置を含む
ことを特徴とするエネルギー生成システム。
【請求項２】
前記溶質溶液は飽和溶液であることを特徴とする請求項１に記載のエネルギー生成システム。
【請求項３】
前記半透性隔壁は膜であることを特徴とする請求項１に記載のエネルギー生成システム。
【請求項４】
前記半透性隔壁はゲルであることを特徴とする請求項１に記載のエネルギー生成システム。
【請求項５】
前記膜を含むカートリッジを更に含み、前記カートリッジは溶剤チェンバーに開放されて隣接することを特徴とする請求項３に記載のエネルギー生成システム。
【請求項６】
前記カートリッジは逆浸透カートリッジであることを特徴とする請求項５に記載のエネルギー生成システム。
【請求項７】
前記溶質溶液の濃度は実質的に一定したレベルで維持されることを特徴とする請求項１に記載のエネルギー生成システム。
【請求項８】
前記圧力チェンバーは飽和溶質溶液であって、前記溶質溶液を維持するために溶解されていない溶質の結晶を含むことを特徴とする請求項１に記載のエネルギー生成システム。
【請求項９】
前記溶剤チェンバーは開放されていることを特徴とする請求項１に記載のエネルギー生成システム。
【請求項１０】
前記溶剤チェンバーは閉鎖されていることを特徴とする請求項１に記載のエネルギー生成システム。
【請求項１１】
前記溶剤チェンバーを開放して閉鎖する一つ以上の弁を更に含むことを特徴とする請求項１に記載のエネルギー生成システム。
【請求項１２】
前記変換装置は前記圧力チェンバーと通じる第１ピストンを含み、前記ピストンは、圧力チェンバーに溶剤分子の拡散によって圧力チェンバー内の圧力増加に応じ、第１位置から第２位置に移動することを特徴とする請求項１に記載のエネルギー生成システム。
【請求項１３】
前記変換装置は、第１ピストンと通じる圧力チェンバーを作動液から分離するダイアフラムを更に含むことを特徴とする請求項１２に記載のエネルギー生成システム。
【請求項１４】
前記変換装置は前記第１ピストンに連結されたプッシュロッドを更に含み、前記プッシュロッドは、前記第１ピストンの移動に応じて移動することを特徴とする請求項１３に記載のエネルギー生成システム。
【請求項１５】
前記プッシュロッドに連結された機械装置を更に含み、前記プッシュロッドの移動は機械装置を作動するのに用いられることを特徴とする請求項１４に記載のエネルギー生成システム。
【請求項１６】
前記機械装置は、交流発電機、発電機、ギア、フライホイール、油圧モータ及びレバーのうち一つを含むことを特徴とする請求項１５に記載のエネルギー生成システム。
【請求項１７】
前記ピストンを第１位置に再度移動させるリターンシステムを更に含むことを特徴とする請求項１２に記載のエネルギー生成システム。
【請求項１８】
前記リターンシステムは、プッシュロッドをプッシュするリターンスプリングを含むことを特徴とする請求項１７に記載のエネルギー生成システム。
【請求項１９】
前記リターンシステムは、第２溶剤チェンバー、第２圧力チェンバー、前記第２溶剤チェンバーから前記第２圧力チェンバーを分離する第２半透性隔壁、及び第２溶剤チェンバーから半透性隔壁を通して第２圧力チェンバーへの溶剤の流れに応じて移動する第２ピストンを含み、前記第２ピストンは、第１ピストンを第１位置に再度プッシュすることを特徴とする請求項１７に記載のエネルギー生成システム。
【請求項２０】
前記第１ピストンが第１位置に再度移動されるとき、ブローダウンとしての溶質溶液を排出させる排出システムを更に含むことを特徴とする請求項１７に記載のエネルギー生成システム。
【請求項２１】
前記ピストンが第１位置に再度移動された後、溶剤を再循環する再循環システムを更に含むことを特徴とする請求項１７に記載のエネルギー生成システム。
【請求項２２】
前記再循環システムは、エネルギー生成システムによって生成されるエネルギーの一部を用いることを特徴とする請求項２１に記載のエネルギー生成システム。
【請求項２３】
前記再循環システムは、第１位置へのピストンの後進の間、排出チャネルを通じて放出される溶質溶液を収集するブローダウン収容チェンバーを含むことを特徴とする請求項２２に記載のエネルギー生成システム。
【請求項２４】
前記再循環装置は、溶質残留物を固体形態に維持し、溶質溶液内の溶剤を溶剤蒸気で蒸発させるブローダウン収容チェンバーに連結される加熱装置を更に含むことを特徴とする請求項２３に記載のエネルギー生成システム。
【請求項２５】
前記加熱装置は放射熱源からの熱を用いることを特徴とする請求項２４に記載のエネルギー生成システム。
【請求項２６】
前記加熱装置は電気加熱装置からの熱を用いることを特徴とする請求項２５に記載のエネルギー生成システム。
【請求項２７】
前記再循環装置は、前記ブローダウン収容チェンバーから溶剤蒸気を収容し、溶剤蒸気を液体溶剤に変換し、液体溶剤を溶剤チェンバーにリターンさせる凝縮器を更に含むことを特徴とする請求項２４に記載のエネルギー生成システム。
【請求項２８】
前記再循環装置は、溶剤の蒸発を容易にする加熱装置と結合して溶剤チェンバー内の真空を溶剤の低蒸気圧に適用する真空ポンプを更に含むことを特徴とする請求項２７に記載のエネルギー生成システム。
【請求項２９】
前記再循環システムは、溶剤の蒸発後溶質の残留物を圧力チェンバーにリターンさせる溶質再循環装置を更に含むことを特徴とする請求項２４に記載のエネルギー生成システム。
【請求項３０】
前記ブローダウン収容チェンバーは、溶質溶液を冷凍させて溶質を凍結乾燥させたり凝縮させたりすることを特徴とする請求項２３に記載のエネルギー生成システム。
【請求項３１】
前記圧力チェンバー内の圧力を所望の圧力にセッティングする圧力チェンバーと通じるバッファチェンバーを更に含むことを特徴とする請求項１に記載のエネルギー生成システム。
【請求項３２】
前記バッファチェンバーは圧縮気体で満たされ、圧力チェンバーでの溶質溶液とバッファチェンバーでの圧縮気体を分離する弾性ダイアフラムを含むことを特徴とする請求項３１に記載のエネルギー生成システム。
【請求項３３】
前記溶剤チェンバーで膜を横切って圧力チェンバーへの溶剤の流れを許容する制御弁を更に含むことを特徴とする請求項１に記載のエネルギー生成システム。
【請求項３４】
前記溶剤チェンバーから膜を通じて溶剤の流れを制御する流れ制限装置を更に含むことを特徴とする請求項１に記載のエネルギー生成システム。
【請求項３５】
前記溶剤は、水溶液、メタノール、液体臭素、及びその混合物を含むことを特徴とする請求項１に記載のエネルギー生成システム。
【請求項３６】
前記溶質は、ＮａＣｌ、ＡｌＣｌ３、ＬｉＣｌ、溶剤−可溶性酸、塩基、無機酸の金属塩、有機酸の金属塩、塩化物、硫酸塩、硝酸塩、糖類、コロイド浸透剤、無機又は有機重合体、糖類、アルコール及びその混合物を含むことを特徴とする請求項１に記載のエネルギー生成システム。
【請求項３７】
前記カートリッジは圧力チェンバーの内部に位置されることを特徴とする請求項５に記載のエネルギー生成システム。
【請求項３８】
前記カートリッジはサックを形成するために分離機によって分離された２個の膜を含むことを特徴とする請求項５に記載のエネルギー生成システム。
【請求項３９】
複数のピストンを更に含むことを特徴とする請求項１２に記載のエネルギー生成システム。
【請求項４０】
複数の膜カートリッジを更に含むことを特徴とする請求項５に記載のエネルギー生成システム。
【請求項４１】
溶剤チェンバー、圧力チェンバー、及び前記圧力チェンバーから前記溶剤チェンバーを分離する半透性隔壁を含むエネルギー発生システムを提供する段階と、
前記溶剤チェンバーに溶剤を満たす段階と、
前記圧力チェンバーに溶質と溶剤とを含有する溶質溶液で満たす段階と、
前記溶剤を溶剤チェンバーで膜へ流れるようにして溶剤分子が半透膜を横切って溶質溶液に放出されることによって、圧力チェンバーで圧力を増加させる段階と、
圧力チェンバーで増加された圧力をエネルギーに変換する段階と、
半透膜を横切って放出された溶剤の量に反比例して、可変量の仕事を実行する段階と
を含むことを特徴とするエネルギー生成方法。
【請求項４２】
前記圧力チェンバーから溶質溶液を排出させる段階を更に含むことを特徴とする請求項４１に記載のエネルギー生成方法。
【請求項４３】
前記圧力チェンバーから溶質溶液を排出させた後、溶質溶液を再循環する段階を更に含むことを特徴とする請求項４２に記載のエネルギー生成方法。
【請求項４４】
前記再循環段階は、溶剤分子から溶質分子を溶質溶液から分離する段階を含むことを特徴とする請求項４３に記載のエネルギー生成方法。
【請求項４５】
前記溶剤分子から前記溶質分子を分離する段階は、溶剤を蒸発させる段階を含むことを特徴とする請求項４４に記載のエネルギー生成方法。
【請求項４６】
蒸発された溶剤を液体溶剤に凝縮させる段階を更に含むことを特徴とする請求項４５に記載のエネルギー生成方法。
【請求項４７】
前記液体溶剤を溶剤チェンバーにリターンさせる段階を更に含むことを特徴とする請求項４６に記載のエネルギー生成方法。
【請求項４８】
前記溶質分子を圧力チェンバーにリターンさせる段階を更に含むことを特徴とする請求項４４に記載のエネルギー生成方法。
【請求項４９】
溶剤チェンバー、圧力チェンバー、及び前記圧力チェンバーから前記溶剤チェンバーを分離する半透性隔壁を含むエネルギー発生システムを提供する段階と、
前記溶剤チェンバーに溶剤を満たす段階と、
前記圧力チェンバーに溶質溶液を満たす段階と、
前記溶剤チェンバーから膜に溶剤を流れるようにし、溶剤分子が半透膜を横切って溶質溶液に放出されることによって、圧力チェンバーで圧力を増加させる段階と、
溶剤チェンバーと通じる外部の圧力ポンプを用いて溶剤チェンバーを加圧する段階と
を含むことを特徴とする正常状態、高圧を生成して維持する方法。
【請求項５０】
前記圧力チェンバーでの圧力増加をエネルギーに変換する段階を更に含むことを特徴とする正常状態、高圧を生成して維持する請求項４９に記載の方法。
【請求項５１】
前記溶剤チェンバーを加圧する段階を更に含むことを特徴とする正常状態、高圧を生成して維持する請求項５０に記載の方法。
【請求項５２】
前記溶剤チェンバーを加圧する段階は、溶剤チェンバーと通じる外部の圧力ポンプを用いる段階を含むことを特徴とする正常状態、高圧を生成して維持する請求項５１に記載の方法。
【請求項５３】
前記圧力チェンバーでの圧力増加を変換することによって発生するエネルギーの一部を用いて、前記外部の圧力ポンプに電力を供給する段階を更に含むことを特徴とする正常状態、高圧を生成して維持する請求項５２に記載の方法。
【請求項５４】
閉鎖溶剤チェンバー、開放圧力チェンバー、及び前記圧力チェンバーから前記溶剤チェンバーを分離する半透性隔壁を含む装置を提供する段階と、
前記溶剤チェンバーに溶剤を満たす段階と、
前記圧力チェンバーに溶質溶液を満たす段階と、
前記溶剤チェンバーから膜に溶剤を流れるようにし、溶剤分子が半透膜を横切って溶質溶液に放出されることによって、前記溶剤チェンバーでボイドを残す段階と、
前記圧力チャンバーから溶質溶液を排出させる段階と
を含むことを特徴とする真空生成方法。
【請求項５５】
前記溶剤チェンバーから溶剤の流れを制御する段階を更に含むことを特徴とする請求項５７に記載の真空生成方法。
【請求項５６】
溶質分子の通過を妨害し、溶剤分子が通過できる物質を含む第１層と、
溶質分子の通過を妨害し、溶剤分子が通過できる物質を含む第２層であって、前記第１層に連結されてポケットを有するサックを形成する第２層と、
サックのポケット内に配置された支持部とを含み、
前記第１層及び第２層は接合され、サックが３個の側面に対して閉鎖され、第４側面に対して開放されることを特徴とするエネルギー生成システムで圧力チェンバーを溶剤チェンバーから分離する膜カートリッジ。
【請求項５７】
前記サックの第４側面に付着された多孔チューブを更に含むことを特徴とするエネルギー生成システムで圧力チェンバーを溶剤チェンバーから分離する請求項５６に記載の膜カートリッジ。
【請求項５８】
多孔チューブを溶剤チェンバーに密封する一つ以上のＯリングを更に含むことを特徴とするエネルギー生成システムで圧力チェンバーを溶剤チェンバーから分離する請求項５７に記載の膜カートリッジ。
【請求項５９】
前記カートリッジは、圧力チェンバーの内部に配置されて溶剤チェンバーと通じるように構成されたことを特徴とするエネルギー生成システムで圧力チェンバーを溶剤チェンバーから分離する請求項５８に記載の膜カートリッジ。
【請求項６０】
前記サックの他の側面に連結された第２多孔チューブを更に含むことを特徴とするエネルギー生成システムで圧力チェンバーを溶剤チェンバーから分離する請求項５７に記載の膜カートリッジ。